(57)【特許請求の範囲】
【請求項１】
チャイルドシートのシート本体の上端部に上下調整可能に取り付けられることができるように構成されているヘッドサポータと、
チャイルドシートのシートベルトに沿って移動することができるように形成されていると共に、連動ユニットにより前記ヘッドサポータに繋がっているベルトパッドと、を備え、
前記ヘッドサポータがチャイルドシートのシート本体に取り付けられている状態で前記シート本体に対して高さ調整されるとき、前記ベルトパッドが前記連動ユニットに引かれて前記シートベルトに沿って移動することができるように構成されており、
前記ヘッドサポータに通過孔が設けられており、
前記連動ユニットの一端は前記ベルトパッドに取り付けられ、他端に前記通過孔外に係止されることができる係止ユニットが取り付けられており、
更に、前記係止ユニットは、前記通過孔を通過して前記通過孔外に係止されているチャイルドシートのヘッドサポータ装置。
【請求項２】
前記係止ユニットは、長方形の周縁を有する板状体であって、その長辺が前記通過孔の横幅よりも小さく、短辺が前記通過孔の縦幅よりも大きく、厚さが前記通過孔の縦幅よりも小さく形成されていることを特徴とする、請求項１に記載のチャイルドシートのヘッド
サポータ装置。
【請求項３】
前記係止ユニットは、環形であって、その環形の中空がその中に形成されているセンターバーにより二つの通孔に分けられており、
前記連動ユニットの前記他端は前記センターバーに巻きついてから固定されていることを特徴とする、請求項２に記載のチャイルドシートのヘッドサポータ装置。
【請求項４】
前記連動ユニットの前記一端は、縫合部を介して前記ベルトパッドに結合されていることを特徴とする、請求項２に記載のチャイルドシートのヘッドサポータ装置。
【請求項５】
前記ベルトパッドは、前記シートベルトの一部を周縁側から包むことができるように形成されていることを特徴とする、請求項２に記載のチャイルドシートのヘッドサポータ装置。
【請求項６】
前記ベルトパッドは、両側縁部にそれぞれフック手段及びループ手段が配置されていて、折畳んでフック手段とループ手段を接着するとスリーブ状になって前記シートベルトの一部を包むことができることを特徴とする、請求項５に記載のチャイルドシートのヘッドサポータ装置。
【請求項７】
シート本体と、シート本体の上端部に上下調整可能に取り付けられたヘッドサポータと、シート本体に取り付けられているシートベルトと、前記シートベルトに沿って移動することができるように取り付けられていると共に、前記シート本体及び前記ヘッドサポータの正面側に配置されているベルトパッドと、を備えているチャイルドシートであって、
前記ベルトパッドは、連動ユニットにより前記ヘッドサポータに繋がっており、
前記ヘッドサポータが前記シート本体から離れるように調整されると、前記ベルトパッドが前記連動ユニットに引かれて、前記シートベルトに沿って使用者の肩当たりまで移動することができるように構成されており、
前記ヘッドサポータに通過孔が設けられており、
前記連動ユニットの一端は前記ベルトパッドに取り付けられ、他端は前記通過孔を通過して前記ヘッドサポータの背面側まで延伸していると共に、係止ユニットが取り付けられており、
更に、前記係止ユニットは、前記通過孔を通過して前記通過孔外に係止されていることを特徴とするチャイルドシート。
【請求項８】
前記係止ユニットは、長方形の周縁を有する板状体であって、その長辺が前記通過孔の横幅よりも小さく、短辺が前記通過孔の縦幅よりも大きく、厚さが前記通過孔の縦幅よりも小さく形成されていることを特徴とする、請求項７に記載のチャイルドシート。
【請求項９】
前記係止ユニットは、環形であって、その環形の中空がその中に形成されているセンターバーにより二つの通孔に分けられており、
前記連動ユニットの前記他端は前記センターバーに巻きついてから固定されていることを特徴とする、請求項８に記載のチャイルドシート。
【請求項１０】
前記連動ユニットの前記一端は、縫合部を介して前記ベルトパッドに結合されていることを特徴とする、請求項８に記載のチャイルドシート。
【請求項１１】
前記ベルトパッドは、前記シートベルトの一部を周縁側から包むことができるように形成されていることを特徴とする、請求項８に記載のチャイルドシート。
【請求項１２】
前記ベルトパッドは、その両端縁部にそれぞれフック手段及びループ手段が配置されていて、折畳んでフック手段とループ手段を接着するとスリーブ状になって前記シートベルトの一部を包むことができることを特徴とする、請求項１１に記載のチャイルドシート。
【請求項１３】
前記連動ユニットはベルト状またはストリング状に形成されていることを特徴とする、請求項１に記載のチャイルドシートのヘッドサポータ装置。
【発明の詳細な説明】
【技術分野】
【０００１】
本発明は、ヘッドサポータ装置及び該ヘッドサポータ装置を備えたチャイルドシートに関する。
【背景技術】
【０００２】
図８及び図９は、特許文献１により開示されたチャイルドシートの側面図である。図８のように、該チャイルドシートのシート本体１４に取り付けられているシートベルト１２は、通孔１４１を通過するように構成されており、更に、シートベルト１２にはベルトパッド１１がシート本体１４の正面側に設置されている。ベルトパッド１１は、シートベルト１２の締付け後、該チャイルドシートを使用する子供の体型に対応して肩あたりまで移動することができるようにするため（図９参照）、その一端がシート本体１４の正面側のベルトパッド１１に固定され、他端がシート本体１４の背面側でシートベルト１２に連結されている調整ストリング１３が通孔１４１を通過するように設けられている。更に、調整ストリング１３には係止ブロック１５がシート本体１４の背面側に固定されており、この係止ブロック１５は通孔１４１を通過出来ないサイズに形成されているので、調整ストリング１３による位置調整の限界位置を決定することができる。
【先行技術文献】
【特許文献】
【０００３】
【特許文献１】米国特許第６４７１２９８号明細書
【発明の概要】
【発明が解決しようとする課題】
【０００４】
上記従来のチャイルドシートは、調整ストリング１３を利用することにより、シートベルト１２の締付け完了後に、そのベルトパッド１１が、該チャイルドシートを使用する子供の体型に対応して子供の肩当たりまで移動できるようになっているが、ヘッドサポータ、特にシート本体に対して位置調整できるヘッドサポータの高さには対応することができない。
【０００５】
従って、本発明は、上下調整できるヘッドサポータに対応し、子供の体型に応じてベルトパッドの位置を変えられるヘッドサポータ装置及び該ヘッドサポータ装置を導入したチャイルドシートの提供を目的とする。
【課題を解決するための手段】
【０００６】
上記目的を達成すべく、本発明は、チャイルドシートのシート本体の上端部に上下調整可能に取り付けられることができるように構成されているヘッドサポータと、チャイルドシートのシートベルトに沿って移動することができるように形成されていると共に、連動ユニットにより前記ヘッドサポータに繋がっているベルトパッドと、を備え、前記ヘッドサポータがチャイルドシートのシート本体に取り付けられている状態で前記シート本体に対して高さ調整されるとき、前記ベルトパッドが前記連動ユニットに引かれて前記シートベルトに沿って移動することができるように構成されているチャイルドシートのヘッドサポータ装置を提供する。
【０００７】
上記ヘッドサポータ装置において、前記ヘッドサポータに通過孔が設けられており、前記連動ユニットの一端は前記ベルトパッドに取り付けられ、他端に前記通過孔外に係止されることができる係止ユニットが取り付けられていることが好ましい。
【０００８】
前記係止ユニットは、長方形の周縁を有する板状体であって、その長辺が前記通過孔の横幅よりも小さく、短辺が前記通過孔の縦幅よりも大きく、厚さが前記通過孔の縦幅よりも小さく形成されていることが好ましい。
【０００９】
上記ヘッドサポータ装置において、前記係止ユニットは環形であって、その環形の中空がその中に形成されているセンターバーにより二つの通孔に分けられており、前記連動ユニットの前記他端は前記センターバーに巻きついてから固定されていることが好ましい。
【００１０】
上記ヘッドサポータ装置において、前記連動ユニットの前記一端は、前記ベルトパッドに縫い付けられていることが好ましい。
【００１１】
上記ヘッドサポータ装置において、前記ベルトパッドは、前記シートベルトの一部を周縁側から包むことができるように形成されていることが好ましい。
【００１２】
上記ヘッドサポータ装置において、前記ベルトパッドは、両側縁部にそれぞれフック手段及びループ手段が配置されていて、折畳んでフック手段とループ手段を接着するとスリーブ状になって前記シートベルトの一部を包むことができることが好ましい。
【００１３】
更に、本発明は、シート本体と、シート本体の上端部に上下調整可能に取り付けられたヘッドサポータと、シート本体に取り付けられているシートベルトと、前記シートベルトに沿って移動することができるように取り付けられていると共に、前記シート本体及び前記ヘッドサポータの正面側に配置されているベルトパッドとを備えているチャイルドシートであって、前記ベルトパッドは、連動ユニットにより前記ヘッドサポータに繋がっており、前記ヘッドサポータが前記シート本体から離れるように調整されると、前記ベルトパッドが前記連動ユニットに引かれて、前記シートベルトに沿って、使用者（子供）の肩当たりまで移動することができるように構成されていることを特徴とするチャイルドシートをも提供する。
【００１４】
上記チャイルドシートにおいて、前記ヘッドサポータに通過孔が設けられており、前記連動ユニットの一端は前記ベルトパッドに取り付けられ、他端は前記通過孔を通過して前記ヘッドサポータの背面側まで延伸していると共に、係止ユニットが取り付けられていることが好ましい。
【００１５】
上記チャイルドシートにおいて、前記係止ユニットは、長方形の周縁を有する板状体であって、その長辺が前記通過孔の横幅よりも小さく、短辺が前記通過孔の縦幅よりも大きく、厚さが前記通過孔の縦幅よりも小さく形成されていることが好ましい。
【００１６】
上記チャイルドシートにおいて、前記係止ユニットは、環形であって、その環形の中空がその中に形成されているセンターバーにより二つの通孔に分けられており、前記連動ユニットの前記他端は前記センターバーに巻きついてから固定されていることが好ましい。
【００１７】
上記チャイルドシートにおいて、前記連動ユニットの前記一端は、前記ベルトパッドに縫い付けられていることが好ましい。
【００１８】
上記チャイルドシートにおいて、前記ベルトパッドは、前記シートベルトの一部を周縁側から包むことができるように形成されていることが好ましい。
【００１９】
上記チャイルドシートにおいて、前記ベルトパッドは、その両端縁部にそれぞれフック手段及びループ手段が配置されていて、折畳んでフック手段とループ手段を接着するとスリーブ状になって前記シートベルトの一部を包むことができることが好ましい。
【００２０】
前記連動ユニットはベルト状またはストリング状に形成されていることができる。
【発明の効果】
【００２１】
上記構成による本発明のヘッドサポータ装置及び該ヘッドサポータ装置を備えたチャイルドシートは、子供の体型に応じてヘッドサポータの位置を変えると同時に、ベルトパッドの位置も対応して調整できるので、実用性が極めて高い。
【図面の簡単な説明】
【００２２】
【図１】本発明のヘッドサポータ装置を備えたチャイルドシートの正面図である。
【図２】連動ユニット及びベルトパッドの構成が示されている説明図である。
【図３】係止ユニット２３の構成が示されている説明図である。
【図４】本発明におけるヘッドサポータ及び連動ユニット、係止ユニットの取り付け関係が示される背面図である。
【図５】本発明におけるヘッドサポータ及び連動ユニット、係止ユニットの取り付け関係が示される正面図である。
【図６】本発明におけるヘッドサポータ及び連動ユニット、係止ユニットの取り付け関係が示される断面図である。
【図７】本発明におけるヘッドサポータ及び連動ユニット、係止ユニットの取り付け関係が示される断面図である。
【図８】従来のチャイルドシートの側面図である。
【図９】従来のチャイルドシートの側面図である。
【発明を実施するための形態】
【００２３】
以下は図１〜図７を参照しながら、本発明の各好ましい実施形態について説明する。
【００２４】
図１では本発明のヘッドサポータ装置を備えたチャイルドシート１の正面図が示されている。
【００２５】
図示されるように、本発明のヘッドサポータ装置は、ヘッドサポータ１２と、ベルト状の連動ユニット２２により前記ヘッドサポータ１２に繋がっているベルトパッド２１とを備えており、チャイルドシート１は、ヘッドサポータ装置のほかに、シート本体１１と、シート本体１１に取り付けられているシートベルト１３と、を有している。
【００２６】
ちなみに、連動ユニット２２はヘッドサポータ１２とベルトパッド２１とを繋ぐものであり、ベルト状に限らず、例えばストリング状に形成することもできる。
【００２７】
ヘッドサポータ１２は、一対の支持柱１２２を有し、該一対の支持柱１２２をシート本体１１の上端部に設けられている一対のスリーブ１１１に挿し込むことによって、シート本体１１に対して上下調整可能に取り付けられている。
【００２８】
図２には、連動ユニット２２及びベルトパッド２１の構成が示されている。
【００２９】
図示されるように、ベルトパッド２１は、両側縁部にそれぞれフック手段２４及びループ手段２５が配置されていて、折畳んでフック手段２４とループ手段２５とを接着するとスリーブ状になって、シートベルト１３の一部を包みながら、シートベルト１３に沿って移動することができる。
【００３０】
連動ユニット２２の一端はベルトパッド２１に縫い付けられ、他端に係止ユニット２３が取り付けられている。
【００３１】
図３に係止ユニット２３の構成が示されている。図２及び図３に示されるように、係止ユニット２３は、長方形の周縁を有する板状体であると共に、環形に形成され、その環形の中空がその中に形成されているセンターバー２３２により二つの通孔２３１、２３１に分けられており、連動ユニット２２の前記他端はセンターバー２３２に巻きついてから固定されている。
【００３２】
図４では本発明におけるヘッドサポータ１２及び連動ユニット２２、係止ユニット２３の取り付け関係が示される背面図であり、図５はその正面図であり、図６、図７はその断面図である。
【００３３】
図示されるように、ヘッドサポータ１２には更に通過孔１２１が設けられており、長方形の周縁を有する係止ユニット２３は、図６に示されるように、その長辺が前記通過孔の横幅よりも小さく、短辺が前記通過孔の縦幅よりも大きく、厚さが前記通過孔の縦幅よりも小さく形成されている。この構成により、連動ユニット２２の端部に取り付けられている係止ユニット２３は、取り付け時にヘッドサポータ１２の正面側から通過孔１２１を通過することができ、そして使用時にヘッドサポータ１２の背面側に留まることができる。
【００３４】
従って、係止ユニット２３が図４及び図７に示されるようにヘッドサポータ１２の背面側に留まっている場合、ヘッドサポータ１２がチャイルドシート１のシート本体１２に取り付けられている状態でシート本体１１に対して高さ調整されるとき、係止ユニット２３がヘッドサポータ１２の背面に当接して、ベルトパッド２１が連動ユニット２２に引かれて、シートベルト１３に沿って、使用者（子供）の肩当たりまで移動することができる。
【産業上の利用可能性】
【００３５】
上記構成による本発明のヘッドサポータ装置及びそれを備えたチャイルドシートは、子供の体型に応じてヘッドサポータの位置を変えると同時に、ベルトパッドの位置もそれに対応して調整できるので、実用性が極めて高い。
【符号の説明】
【００３６】
１  チャイルドシート
１１  シート本体
１１１  スリーブ
１２  ヘッドサポータ
１２１  通過孔
１２２  支持柱
１３  シートベルト
２１  ベルトパッド
２２  連動ユニット
２３  係止ユニット
２３１  通孔
２３２  センターバー
２４  フック手段
２５  ループ手段
【図１】
0005868590.tif 000002
【図２】
0005868590.tif 000003
【図３】
0005868590.tif 000004
【図４】
0005868590.tif 000005
【図５】
0005868590.tif 000006
【図６】
0005868590.tif 000007
【図７】
0005868590.tif 000008
【図８】
0005868590.tif 000009
【図９】
0005868590.tif 000010